(57)【要約】 【課題】平板蛍光ランプ及びこれを有する液晶表示装置を提供する。【解決手段】平板蛍光ランプは、第１基板、第１基板の一面に互いに離隔されそれぞれ形成される内部電極、及び第１基板の一面と結合され複数の放電空間を形成し内部電極の一部を露出させるための連結部を有する第２基板を含む。第２基板は、シーリング部と最も隣接する放電空間部に第１基板側に陥没され第１基板と接する陥没部を有し、連結部は、陥没部に形成されるコンタクトホールからなる。内部電極は、連結部を通じて外部に露出される。従って、平板蛍光ランプの外郭サイズは保持しながら内部電極を外部に露出させインバーターとの連結を容易にすることができる。【選択図】    図１
2006039504.tif 000002
【特許請求の範囲】
【請求項１】
第１基板と、
前記第１基板の一面に互いに離隔されそれぞれ形成される内部電極と、
前記第１基板の一面と結合され複数の放電空間を形成し、前記内部電極の一部を露出させるための連結部を有する第２基板と、
を含む平板蛍光ランプ。
【請求項２】
前記第２基板は、
前記第１基板と離隔され前記放電空間を形成する複数の放電空間部と、
隣接する前記放電空間部の間に形成され前記第１基板の一面と接する複数の空間分割部と、
前記放電空間部と前記空間分割部の端部位に形成され前記第１基板と結合されるシーリング部と、を含むことを特徴とする請求項１記載の平板蛍光ランプ。
【請求項３】
前記シーリング部と最も隣接する前記放電空間部は、前記連結部を形成するために前記第１基板側に陥没され前記第１基板と接する陥没部を含むことを特徴とする請求項２記載の平板蛍光ランプ。
【請求項４】
前記陥没部は、前記内部電極それぞれに対応する位置に形成されることを特徴とする請求項３記載の平板蛍光ランプ。
【請求項５】
前記連結部は、前記陥没部に形成されるコンタクトホールであることを特徴とする請求項４記載の平板蛍光ランプ。
【請求項６】
前記連結部は、前記内部電極の位置に対応する前記シーリング部及び前記陥没部の一部が切開されて形成されることを特徴とする請求項４記載の平板蛍光ランプ。
【請求項７】
前記連結部の位置に対応して前記第１基板に結合され、前記連結部を通じて外部に露出された前記内部電極と接触される導電クリップをさらに含むことを特徴とする請求項６記載の平板蛍光ランプ。
【請求項８】
前記内部電極は、前記全ての放電空間と交差するように前記放電空間部の長さ方向に垂直な方向に形成されることを特徴とする請求項３記載の平板蛍光ランプ。
【請求項９】
前記内部電極の上部に形成され前記内部電極を保護する誘電層と、
前記第１基板の一面のうち、前記内部電極を除いた残りの領域に形成される反射層と、
前記反射層の上部に形成される第１蛍光層と、
前記第１基板と向き合う前記放電空間部の一面に形成される第２蛍光層と、をさらに含むことを特徴とする請求項８記載の平板蛍光ランプ。
【請求項１０】
前記誘電層は、前記連結部に対応して前記内部電極が外部に露出できるように開口されることを特徴とする請求項９記載の平板蛍光ランプ。
【請求項１１】
前記反射層と前記第１蛍光層とを足した厚さは、前記内部電極と前記誘電層とを足した厚さと同一であることを特徴とする請求項９記載の平板蛍光ランプ。
【請求項１２】
前記内部電極は、前記空間分割部と対応する領域での第１電極幅が前記放電空間部と対応する領域での第２電極幅に比べて小さく形成されることを特徴とする請求項８記載の平板蛍光ランプ。
【請求項１３】
前記内部電極の上部に前記放電空間部に対応して形成される誘電層と、
前記第１基板の一面のうち、前記誘電層を除いた残りの領域に形成される反射層と、
前記反射層の上部に形成される第１蛍光層と、
前記第１基板と向き合う前記放電空間部の一面に形成される第２蛍光層と、をさらに含むことを特徴とする請求項１２記載の平板蛍光ランプ。
【請求項１４】
前記誘電層は、前記連結部に対応して前記内部電極が外部に露出できるように開口されることを特徴とする請求項１３記載の平板蛍光ランプ。
【請求項１５】
前記第１電極幅は、１〜２ｍｍであり、前記第２電極幅は１０〜１５ｍｍであることを特徴とする請求項１３記載の平板蛍光ランプ。
【請求項１６】
前記空間分割部それぞれは、互いに隣接する前記放電空間を連結するために一部が前記第１基板と離隔される一つ以上の連結通路をさらに含むことを特徴とする請求項３記載の平板蛍光ランプ。
【請求項１７】
第１基板と、前記第１基板の一面に互いに離隔されそれぞれ形成される内部電極と、第１基板の一面と結合され複数の放電空間を形成し、前記内部電極の露出のための連結部を有する第２基板とを含む平板蛍光ランプと、
前記平板蛍光ランプから出射される光を用いて画像を表示する液晶表示パネルと、
前記平板蛍光ランプを駆動するための放電電圧を発生させ、前記連結部を通じて前記内部電極と連結されるインバーターと、
を含むことを特徴とする液晶表示装置。
【請求項１８】
前記第２基板は、
前記第１基板と離隔され前記放電空間を形成する複数の放電空間部と、
隣接する前記放電空間部の間に形成され前記第１基板の一面と接する複数の空間分割部と、
前記放電空間部と前記空間分割部の端部位に形成され前記第１基板と結合されるシーリング部と、を含み、
前記シーリング部と最も隣接する前記放電空間部は、前記内部電極それぞれに対応して前記第１基板側に陥没され前記第１基板と接する陥没部を有することを特徴とする請求項１７記載の液晶表示装置。  
【請求項１９】
前記連結部は、前記陥没部に形成されるコンタクトホールであることを特徴とする請求項１８記載の液晶表示装置。  
【請求項２０】
前記連結部は、前記内部電極の位置に対応して前記シーリング部及び前記陥没部の一部が切開され形成されることを特徴とする請求項１８記載の液晶表示装置。
【請求項２１】
前記内部電極は、前記全ての放電空間と交差するように前記放電空間部の長さ方向に垂直な方向に形成されることを特徴とする請求項１８記載の液晶表示装置。
【請求項２２】
前記内部電極の上部に形成され、前記連結部に対応し開口される誘電層と、
前記第１基板の一面のうち、前記内部電極を除いた残りの領域に形成される反射層と、
前記反射層の上部に形成される第１蛍光層と、
前記第１基板と向き合う前記放電空間部の一面に形成される第２蛍光層と、をさらに含むことを特徴とする請求項２１記載の液晶表示装置。  
【請求項２３】
前記内部電極は、前記空間分割部と対応する領域での第１電極幅が前記放電空間部と対応する領域での第２電極幅に比べて小さく形成されることを特徴とする請求項２１記載の液晶表示装置。
【請求項２４】
前記内部電極の上部に放電空間部に対応して形成され、前記連結部に対応して開口される誘電層と、
前記第１基板の一面のうち、前記誘電層を除いた残りの領域に形成される反射層と、
前記反射層の上部に形成される第１蛍光層と、
前記第１基板と向き合う前記放電空間部の一面に形成される第２蛍光層と、をさらに含むことを特徴とする請求項２３記載の液晶表示装置。
【請求項２５】
前記平板蛍光ランプを収納するための収納容器と、
前記平板蛍光ランプと前記液晶表示パネルとの間に配置される拡散板と、
前記液晶表示パネルを前記収納容器に固定するための固定部材と、
をさらに含むことを特徴とする請求項１８記載の液晶表示装置。
【発明の詳細な説明】
【技術分野】
【０００１】
本発明は平板蛍光ランプ及びこれを有する液晶表示装置に関し、さらに詳細には画像を表示する液晶表示パネルに面形態に光を供給する平板蛍光ランプ及びこれを有する液晶表示装置に関する。
【背景技術】
【０００２】
一般に、液晶表示装置は液晶を用いて画像を表示する平板蛍光ランプの一つとして、他の表示装置に比べて薄くて軽く、低駆動電圧及び低消費電力を有するという長所があって、産業全般に渡って幅広く使用されている。
このような液晶表示装置は画像を表示するための液晶表示パネルが自発的に発光することができない非自発光型素子であるので、別途の光源を提供するバックライト組立体を必要とする。
【０００３】
バックライト組立体は光源で細管形状を有する冷陰極線管ランプＣＣＦＬが主に使用される。冷陰極線管蛍光ランプを光源として使用するバックライト組立体は光源の位置によって、大きくエッジ型と直下型とで分類される。エッジ型は、透明導光板の側面に一つまたは２つの光源を位置させ導光板の一面を用いて光を多重反射させることで得た光を液晶表示パネルに出射する方式であり、直下型は、複数の光源を液晶表示パネルの直下部に位置させ光源の全面に拡散板を配置し、光源の背面には反射板を配置し光源から発散された光を反射、拡散させる方式である。
このような従来のバックライト組立体は、導光板または拡散板などの光学部材による光損失が発生して光の利用効率が低く、全体構造が複雑して生産費が高く、輝度の均一性が低下するという問題点がある。
【０００４】
このような問題点を解消するために、製造原価が低く、一つのインバーターで全面発光可能な平板蛍光ランプについての開発が進行されつつある。平板蛍光ランプは、上部基板と下部基板との結合によって形成された複数の放電空間に放電電圧を印加するための電極を必要とする。平板蛍光ランプは、インバーターから電極に印加される放電電圧によって放電空間でプラズマ放電を起こし、このようなプラズマ放電によって形成された紫外線を可視光に変換して出射する。
一方、電極は上部基板または下部基板の外面に形成される外部電極型と、下部基板または上部基板の内面に形成される内部電極型とで区分されることができる。電極の基板の外面に形成された外部電極型の場合にはインバーターとの連結を容易にすることができる。しかし、電極が基板の内面に形成された内部電極型の場合にはインバーターとの連結が困難であり、電極を外部から露出させるために外郭サイズを増加させなければならないなどの問題点がある。
【発明の開示】
【発明が解決しようとする課題】
【０００５】
従って、本発明はこのような問題点に鑑みなされたもので、本発明の目的は外郭サイズは保持しながら内部電極を外部に露出してインバーターとの連結を容易にすることができる平板蛍光ランプを提供することにある。
本発明の他の目的は前記のような平板蛍光ランプを光源として有する液晶表示装置を提供することにある。  
【課題を解決するための手段】
【０００６】
前述した本発明の目的を達成するための平板蛍光ランプは、第１基板、内部電極及び第２基板を含む。前記第１基板は平板形状を有する。前記内部電極は前記第１基板の一面に互いに離隔されそれぞれ形成される。前記第２基板は前記第１基板の一面と結合され複数の放電空間を形成し、前記内部電極の一部を露出させるための連結部を有する。
前記第２基板は、前記第１基板と離隔され前記放電空間を形成する複数の放電空間部、隣接する前記放電空間部の間に形成され前記第１基板の一面と接する複数の空間分割部、及び前記放電空間部と前記空間分割部の端部位に形成され前記第１基板と結合されるシーリング部を含む。
前記シーリング部と最も隣接する前記放電空間部は、前記連結部を形成するために前記第１基板側に陥没され前記第１基板と接する陥没部を有する。前記陥没部は前記内部電極それぞれに対応する位置に形成される。
【０００７】
前記連結部は前記陥没部に形成されるコンタクトホールである。また、前記連結部は前記内部電極の位置に対応する前記シーリング部及び前記陥没部の一部が切開され形成されることができる。
本発明の他の目的を達成するための液晶表示装置は平板蛍光ランプ、液晶表示パネル及びインバーターを含む。
前記平板蛍光ランプは、第１基板、前記第１基板の一面に互いに離隔されそれぞれ形成される内部電極、及び前記第１基板の一面と結合され複数の放電空間を形成し前記内部電極の露出のための連結部を有する第２基板を含む。
前記液晶表示パネルは前記平板蛍光ランプから出射される光を用いて画像を表示する。
【０００８】
前記インバーターは、前記平板蛍光ランプを駆動するための放電電圧を発生させ、前記連結部を通じて前記内部電極と連結される。
また、液晶表示装置は、前記平板蛍光ランプを収納する収納容器、前記平板蛍光ランプと前記液晶表示パネルとの間に配置される拡散板、及び前記液晶表示パネルを前記収納容器に固定するための固定部材をさらに含む。
このような平板蛍光ランプ及びこれを有する液晶表示装置によると、第２基板に形成された連結部を通じて内部電極を露出させることで、インバーターとの連結を容易にすることができ、外郭サイズの増加を防止することができる。
【発明を実施するための最良の形態】
【０００９】
以下、図面を参照して本発明の望ましい一実施形態をより詳細に説明する。
図１は本発明の一実施形態による平板蛍光ランプを示す分解斜視図であり、図２は図１に示された平板蛍光ランプの結合された断面を示す断面図である。
図１及び図２に示すように、本発明の一実施形態による平板蛍光ランプ１００は第１基板１１０、内部電極１２０及び第２基板１３０を含む。第１基板１１０は平板形状を有する。内部電極１２０は、第１基板１１０の一面に互いに離隔され両側にそれぞれ形成される。第２基板１３０は、第１基板１１０の一面と結合され複数の放電空間１４０を形成し、内部電極１２０の一部を露出させるための連結部１３５を有する。
第１基板１１０は矩形の平板形状を有し、一例で、可視光線は透過させ紫外線は遮断する透明なガラス基板からなる。
【００１０】
内部電極１２０は全ての放電空間１４０を交差するように放電空間１４０の長さ方向に垂直な方向に形成される。本実施形態において、内部電極１２０は一定の電極幅ＥＷを有する。内部電極１２０は導電性が優れた材質、例えば、銅、ニッケルＮｉ、銀Ａｇ、金Ａｕ、アルミニウムＡｌ、クロムＣｒなどの金属物質のうち、いずれか一つ以上の金属物質からなる金属パウダーをスプレイコーティングする方法によって形成される。即ち、第１基板１１０の外面のうち、内部電極１２０が形成される位置のみを除いた領域にマスクを配置した後、内部電極１２０が形成される位置に前記金属パウダーをスプレイ噴射する方法でコーティングした後、前記マスクを除去することで、内部電極１２０を形成する。内部電極１２０は他にも、多様な方法によって第１基板１１０の一面に形成されることができる。  
【００１１】
第２基板１３０は第１基板１１０と結合され複数の放電空間１４０を形成し、一例で、第１基板１１０と同一な透明ガラス基板からなる。第２基板１３０は第１基板１１０と離隔され放電空間１４０を形成する複数の放電空間部１３１、隣接する放電空間部１３１の間に形成され第１基板１１０の一面と接する複数の空間分割部１３２、及び放電空間部１３１と空間分割部１３２の端部位に形成され第１基板１１０と結合されるシーリング部１３３からなる。
本実施形態において、シーリング部１３３と最も隣接する放電空間部１３１には連結部１３５を形成するための陥没部１３４が形成される。陥没部１３４はシーリング部１３３から放電空間部１３１内側に陥没され第１基板１１０と接するようになる。陥没部１３４は内部電極１２０それぞれに対応する位置に形成される。連結部１３５は陥没部１３４に形成され、円形状に開口されたコンタクトホールからなる。従って、第１基板１１０と第２基板１３０との結合の際、それぞれの内部電極１２０の一部は連結部１３５を通じて外部に露出される。
【００１２】
一方、図示されていないが、内部電極１２０は第２基板１３０の内面に形成されることができる。内部電極１２０が第２基板１３０に形成される場合、連結部１３５は第１基板１１０に形成される。
第２基板１３０は、一例で、成形加工によって形成される。即ち、第１基板１１０のようなプレート形状のベース基板を一定温度に加熱した後所望する形状の金型を通じて前記ベース基板を成形することで、放電空間部１３１、空間分割部１３２、シーリング部１３３及び陥没部１３４を含む第２基板１３０を得ることができる。他にも、第２基板１３０はベース基板を加熱した後空気の吸入を通じて形状を加工するなどの多様な方法によって形成されることができる。
【００１３】
一方、連結部１３５は第２基板１３０の成形加工の後、機械的なドリリングまたはレイザードリリングなどの多様な工程によって形成される。また、連結部１３５の形状は所望する形状だけではなく、矩形または多角形などの多様な形状に形成されることができる。
本発明において、第２基板１３０の縦断面は図２に示されたように、台形と類似する複数の半楕円が連続的に連結される形態を有する。しかし、これとは異なり、第２基板１３０は縦断面が半円、矩形などの多様な形態を有するように形成されることができる。
第２基板１３０は、一例で、ガラスより低い融点を有するガラスと金属との混合物であるフリットなどの接着部材１５０を通じて第１基板１１０と結合される。即ち、第１基板１１０と第２基板１３０との間にシーリング部１３３に対応して接着部材１５０を介在した後焼成することで、第１基板１１０と第２基板１３０とは互いに結合される。このとき、接着部材１５０は第１基板１１０と第２基板１３０との間のシーリング部１５６のみに配置され、第１基板１１０と接する空間分割部１３２には配置されない。空間分割部１３２は内部と外部との圧力差によって第１基板１１０に密着される。具体的に、第１基板１１０と第２基板１３０との結合後、放電空間１４０に存在する空気を排気して真空状態を作り、以後、放電空間１４０にはプラズマ放電のための多様な種類の放電ガスが注入される。一例で、前記放電ガスは、水銀Ｈｇ、ネオンＮｅ、アルゴンＡｒ、クセノン及びクリプトンなどを含む。放電空間１３０に存在する前記放電ガスのガス圧は約５０トル（ｔｏｒｒ）程度で、外部大気圧７６０トルと比較して圧力差が発生される。このような圧力差に起因して空間分割部１３２は第１基板１１０に密着される。
【００１４】
第２基板１３０には互いに隣接する放電空間１４０を連結するための連結通路１６０が形成される。連結通路１６０はそれぞれの空間分割部１３２に少なくとも一つ以上が形成される。いずれか一つ以上の放電空間１４０に注入される放電ガスは連結通路１６０を通じて他の放電空間１４０に移動され、結局、全ての放電空間１４０には均一なガス圧で放電ガスが分布される。
平板蛍光ランプ１００は、第１基板１１０の一面に形成される反射層１１２、及び第１蛍光層１１４と第２基板１３０の内面に形成される第２蛍光層１１６をさらに含む。反射層１１２は第１基板１１０の一面のうち、内部電極１２０を除いた残りの領域に形成される。反射層１１２は第２基板１１０との安定的な結合のためにシーリング部１３３に対応する領域にも形成されないことが望ましい。反射層１１２は第１及び第２蛍光層１１４，１１６によって発生された可視光線を第２基板１３０側に反射させ第１基板１１０に光が漏洩されることを防止する。第１蛍光層１１４は反射層１１２の上部に反射層１１２と同一の領域に形成される。即ち、第１蛍光層１１２は反射層１１２の上部に反射層１１２と同一の領域に形成される。即ち、第１蛍光層１１４は内部電極１２０及びシーリング部１３３と対応する領域を除いた残りの領域で反射層１１２上に形成される。第２蛍光層１１６は第１基板１１０と向き合う第２基板１３０の一面に形成される。第２蛍光層１１６は第２基板１１０の一面にシーリング部１３３を除いた残りの領域に全体的に形成されることができるが、放電空間部１３１のみに形成されることが望ましい。第１及び第２蛍光層１１４、１１６は放電空間１４０でプラズマが放電を通じて発生された紫外線によって励起され可視光線を放出する。
【００１５】
また、平板蛍光ランプ１００は第２基板１３０と第２蛍光層１１６との間及び/または第１基板１１０と反射層１１２との間に形成される保護層（図示せず）をさらに含むことができる。前記保護層は第１または第２基板１１０、１３０と放電ガスの主成分である水銀との化学的な反応を防止して水銀の損失及び黒化現象を防止する。
【００１６】
図３は図１に示された平板蛍光ランプの平面図である。
図３に示すように、複数の放電空間部１３１のうち、シーリング部１３３と最も隣接する放電空間部１３１には陥没部１３４が形成される。陥没部１３４は各内部電極１２０の位置に対応して一つ以上が形成される。望ましくは、陥没部１３４は各内部電極１２０に対応して一つずつ形成される。図示されたように、陥没部１３４はそれぞれの内部電極１２０に対応して最も下側に位置する放電空間部１３１に形成される。しかし、２つの陥没部１３４のうち、一つの陥没部１３４は最も下の側に位置する放電空間部１３１に形成され、他の一つの陥没部１３４は最も上側に位置する放電空間部１３１に形成されることもできる。また、それぞれの陥没部１３４には内部電極１２０の露出のための連結部１３５が形成される。
【００１７】
本発明において、シーリング部１３３の幅は約３ｍｍ程度に非常に小さい幅を有するので、シーリング部１３３上に連結部１３５を形成することは難しい。従って、シーリング部１３３と最も隣接する放電空間部１３１に陥没部１３４を形成し、陥没部１３４上に連結部１３５を形成することで、第１及び第２基板１１０、１３０のサイズの増加がなくても、安定的な結合と同時に内部電極１２０を容易に露出させることができる。
【００１８】
図４は図１に示された陥没部及び連結部を具体的に示す斜視図であり、図５は図４のＩ−Ｉ線に沿って切断した断面図である。
図４及び図５に示すように、陥没部１３４はシーリング部１３３と隣接する放電空間部１３１の一部が第１基板１１０側に陥没されるように形成され、第１基板１１０と結合の際、第１基板１１０と接するようになる。連結部１３５は陥没部１３４の一定部分が開口され形成されるコンタクトホールである。第２基板１３０のシーリング部１３３は接着部材１５０を通じて第１基板１１０と安定的に結合され、連結部１３５はシーリング部１３３の内側に形成される。
陥没部１３４は内部電極１２０の電極幅ＥＷ及び要求される連結部１３５の大きさによって、多様な大きさと多様な形状に形成されることができる。特に、陥没部１３４は内部電極１２０の電極幅ＥＷに比べて小さい幅に形成されることが望ましく、連結部１３５を形成するには充分な面積を有するように形成されることが望ましい。
【００１９】
本実施形態において、内部電極１２０の上部には誘電層１２２がさらに形成される。誘電層１２２は内部電極１２０を保護すると同時に、内部電極１２０と放電空間１４０との間にキャパシタを形成するために誘電物質からなる。誘電層１２２は連結部１３５に対応して内部電極１２０が外部に露出されるように開口されている。
従って、本実施形態による平板蛍光ランプ１００は、外部のインバーターから引き出された電源線を連結部１３５を通じて外部に露出された内部電極１２０と半田づけなどの方法を用いて用意に連結させることができる。
【００２０】
図６は図１に示された第１基板を具体的に示す斜視図であり、図７は図６に示された第１基板をより具体的に示す斜視図である。
図６及び図７に示すように、内部電極１２０は第１基板１１０の両側にそれぞれ形成される。それぞれの内部電極１２０は一定の電極幅ＥＷを有する帯形状に形成される。内部電極１２０の上部には誘電層１２２が形成される。誘電層１２２は第２基板１３０の連結部１３５に対応して内部電極１２０が露出されるように開口されている。
反射層１１２は内部電極１２０が形成されているシーリング部１３３と結合された領域を除いた残りの領域に形成される。反射層１１２の上部には第１蛍光層１１４が形成される。
【００２１】
本実施形態において、内部電極１２０と誘電層１２２とを足した厚さは反射層１１２と第１蛍光層１１４とを足した厚さと同一である。空間分割部１３２が第１基板１１０に密着されるとき、内部電極１２０及び誘電層１２２の長さ方向と直交する方向に密着されるので、空間分割部１３２は誘電層１２２及び第１蛍光層１１４の上面と同時に接するようになる。従って、内部電極１２０と誘電層１２２とを足した厚さと、反射層１１２と第１蛍光層１１４とを足した厚さとが互いに異なる場合、誘電層１２２と第１蛍光層１１４の境界部で段差が発生して空間分割部１３２との間に不必要な空間が発生する。従って、空間分割部１１４が第１基板１１０と正常的に密着されるためには内部電極１２０と誘電層１２２とを足した厚さと反射層１１２と第１蛍光層１１４とを足した厚さは互いに同一であるべきである。
【００２２】
図８は図１に示されたＡ部分を拡大した拡大図であり。図９は図８のII−II線に沿って切断した断面図である。
図８及び図９に示すように、連結通路１６０はそれぞれの空間分割部１３２に少なくとも一つ以上が形成される。それぞれの連結通路１６０は互いに隣接する放電空間１４０を連結するために第１基板１１０と結合の際、第１基板１１０と所定距離離隔されるように形成される。連結通路１６０は、一例で、空間分割部１３２の長さ方向に対して対角線方向に曲線を描きながら形成される。特に、連結通路１６０は空間分割部１３２の長さ方向に対して対角線方向にＳ字形状を有するように形成されることが望ましい。連結通路１６０の形状をＳ字形状に形成することで、連結通路１６０の長さは放電空間１４０間の離隔距離、即ち、空間分割部１３２の幅より大きくなる。このように、連結通路１６０の長さが増加されることによって、各放電空間１４０で流れる電流が隣接する他の放電空間１４０に移動することができる経路が長くなり、偏流現象などの不良発生を効果的に防止することができる。
【００２３】
連結通路１６０は、一例で、各空間分割部１３２の長さ方向の中央部に一つが形成される。このとき、連結通路１６０は約２ｍｍの幅と約２ｍｍ程度の高さに形成される。一方、連結通路１６０は各空間分割部１３２にひとつ以上が形成されることができ、形状または多様な変形が可能である。
図１０は本発明の他の実施形態による連結部を具体的に示す斜視図であり、図１１は図１０のIII−III線に沿って切断した断面図である。本実施形態において、連結部を除いた残りの構成は図１ないし図９に示されたのと同一であるので、同一の構成要素については同一の名称及び図面符号を付与し、その重複される詳細な説明は省略する。
【００２４】
図１０及び図１１に示すように、本発明の他の実施形態による連結２３５は内部電極１２０の位置に対応するシーリング部１３３及び陥没部１３４の一部が切開され形成される。本実施形態において、連結部２３５に対応するシーリング部１３３は連結部２３５の形成のために開口されるので、第１基板１１０と第２基板１３０との結合のために接着部材１５０は連結部２３５を除いた他の領域ではシーリング部１３３に対応して形成されるが、連結部２３５に対応する領域では連結部２３５周囲の陥没部１３５に対応して形成される。本実施形態において、内部電極１２０はシーリング部１３３まで延びる。内部電極１２０の上部には誘電層１２２が形成されるが、連結部２３５に対応する誘電層１２２は内部電極１２０を露出するため開口される。
本実施形態による平板蛍光ランプ２００は連結部２３５の位置に対応して第１基板１１０に結合される導電クリップ２１０をさらに含むことができる。導電クリップ２１０は、第１基板１１０との結合の際、連結部２３５を通じて外部に露出された内部電極１２０と接触される。本実施形態において、シーリング部１３３は平板蛍光ランプ２００のサイズを小さくするために約３ｍｍ程度の小さい幅に形成されるので、導電クリップ２１０が安定的に第１基板１１０に結合されるためには連結２３５がシーリング部１３３を経て陥没部１４まで延びるように形成されなければならない。一方、導電クリップ２１０は外部の電源線との結合のための結合端子２１２をさらに含むことができる。このような導電クリップ２１０を用いる場合、電源線との連結のための別途の半田付け工程を省略することができる。
【００２５】
図１２は本発明のさらにまたの平板蛍光ランプを示す分解斜視図であり、図１３は図１２に示された内部電極を示す斜視図であり、図１４は図１２のIV−IV線に沿って切断した断面図である。本実施形態において、第１及び第２基板は図１乃至図１１に示されたのと同一の構造を有するので、同一の構成については同一の名称及び図面符号を使用し、その重複される詳細な説明は省略する。
【００２６】
図１２、図１３及び図１４に示すように、第１基板１１０の一面には内部電極３２０、誘電層３２２、反射層３１２及び第１蛍光層３１４が形成される。
内部電極３２０は図１３に示されたように、第１基板１１０の一面に両側にそれぞれ形成される。それぞれの内部電極３２０は全ての放電空間部１３２と交差するように放電空間部１３２の長さ方向に垂直な方向に延長される。本実施形態において、内部電極３２０は第２基板１３０の空間分割部１３２と対応する領域での第１電極幅ＥＷ１と第２基板１３０の放電空間部１３１と対応する領域での第２電極幅ＥＷ２が互いに異なるように形成される。特に、第１電極幅ＥＷ１は第２電極幅ＥＷ２より小さく形成される。一例で、第１電極幅ＥＷ１は約１〜２ｍｍであり。第２電極幅ＥＷ２は約１０〜１５ｍｍである。
誘電層３２２は内部電極３２０の上部のうち、放電空間部１３１に対応する領域のみに形成される。誘電層３２２は第２基板１３０の連結部１３５に対応して内部電極３２０が露出できるように開口される。
【００２７】
反射層３１２は誘電層３２２が形成される領域及び第２基板１３０のシーリング部１３３に対応する領域を除いた残りの領域に形成される。第１蛍光層３１４は反射層３１２の上部に形成される。
本実施形態において、第１基板１１０と第２基板１３０との結合の際、空間分割部１３２は第１蛍光層３１４の上部とのみ相接するようになる。第１基板１１０の一面のうち、空間分割部１３２と対応する領域には反射層３１２及び第１蛍光層１３４が順序に形成され全体的に同一の厚さを有する。第２電極幅ＥＷ２を有する内部電極３２０が存在するが、小さい幅に起因して厚さ増加には影響を及ぼさない。従って、空間分割部１３２は安定的に第１蛍光層３１４上に密着されることができる。一方、内部電極３２０と誘電層３２２とを足した厚さは反射層３１２と第１蛍光層３１４とを足した厚さと同一であることが望ましい。
【００２８】
図１５は本発明の一実施形態による液晶表示装置を示す分解斜視図である。本実施形態において、平板蛍光ランプは前述した図１乃至図１４の構成と同一な構成を有するので、その重複される説明は省略する。
図１５に示すように、液晶表示装置４００は平板蛍光ランプ１００、表示ユニット５００及びインバーター６００を含む。
表示ユニット５００は画像を表示する液晶表示パネル５１０、液晶表示パネル５１０を駆動するための駆動信号を提供するデータ及びゲート印刷回路基板５２０、５３０を含む。データ及びゲート印刷回路基板５２０、５３０から提供される駆動信号はデータ回路可撓性フィルム５４０及びゲート回路可撓性フィルム５５０を通じて液晶表示パネル５１０に印加される。データ及びゲート回路可撓性フィルム５４０、５５０は、一例で、テープキャリアパッケージＴＣＰまたはチップオンフィルムＣＯＦからなる。また、データ及びゲート回路可撓性フィルム５４０、５５０それぞれは、データ及びゲート印刷回路基板５２０、５３０から提供される駆動信号を適切なタイミングに液晶表示パネル５１０に印加するために駆動信号を制御するデータ及びゲート駆動チップ５４２、５５２をさらに含む。
【００２９】
液晶表示パネル５１０は薄膜トランジスタ（以下、ＴＦＴと称する）基板５１２、ＴＦＴ基板５１２と対向して結合されるカラーフィルター基板５１４、及び前記２つの基板５１２、５１４の間に介在される液晶５１６を含む。
ＴＦＴ基板５１２はスイッチング素子であるＴＦＴ（図示せず）がマトリックス状に形成された透明なガラス基板である。前記ＴＦＴのソース及びゲート端子にはそれぞれデータ及びゲートラインが連結され、ドレイン端子には透明な導電性材質からなる画素電極（図示せず）が連結される。
【００３０】
カラーフィルター基板５１４は色画素であるＲＧＢ画素（図示せず）が薄膜工程によって形成される。カラーフィルター基板５１４には透明な導電性材質からなる共通電極（図示せず）が形成される。
このような構成を有する液晶表示パネル５１０は前記ＴＦＴのゲート端子に電源が印加されＴＦＴがターンオンされると、画素電極と共通電極との間には電界が形成される。このような電界によってＴＦＴ基板５１２とカラーフィルター基板５１４との間に介在された液晶５１６の配列が変化され、液晶５１６の配列変化によって平板蛍光ランプ１００から供給される光の透過度が変更され所望する階調の画像を得るようになる。
【００３１】
インバーター６００は平板蛍光ランプ１００を駆動するための放電電圧を発生させる。インバーター６００は外部から印加される交流電圧を平板蛍光ランプ１００の駆動のための放電電圧に昇圧させて出力する。インバーター６００から発生された放電電圧は第１及び第２電源線６１０、６２０を通じて平板蛍光ランプ１００の内部電極１２０にそれぞれ印加される。このとき、第１及び第２電源線６１０、６２０は連結部１３５を通じて外部に露出された内部電極１２０と半田づけなどの方法によって連結される。一方、内部電極１２０が導電クリップ２１０に連結される場合、第１及び第２電源線６１０、６２０は導電クリップ２１０に連結されることができる。
一方、液晶表示装置４００は平板蛍光ランプ１００を収納するための収納容器７００、平板蛍光ランプ１００から出射される光の特性を向上させるための光学部材８００、及び液晶表示パネル５１０を固定するための固定部材９００をさらに含む。
収納容器７００は、平板蛍光ランプ１００を収納するための底部７１０、及び底部７１０の端部位から収納空間を形成するために垂直に延長された複数の側壁７２０で構成される。収納容器７００は、平板蛍光ランプ１００の収納の際、平板蛍光ランプ１００との絶縁のための絶縁部材（図示せず）をさらに含むことができる。
【００３２】
光学部材８００は平板蛍光ランプ１００と液晶表示パネル５１０との間に配置される。光学部材８００は、平板蛍光ランプ１００から出射される光の経路を変更させ、輝度均一導光板を向上させたり、正面輝度を向上させる役割を遂行する。これのために、光学部材８００は平板蛍光ランプ１００から出射される光を拡散させるための拡散板８１０を含む。拡散板８１０は、所定厚さを有するプレート形状からなり、平板蛍光ランプ１００と所定間隔に離隔され配置される。光学部材８００は、拡散板８１０の上部に配置される一つ以上に集光シート８２０をさらに含むことができる。集光シート８２０は拡散板８１０から出射される光を液晶表示パネル５１０の方向に集光して光の正面輝度を向上させる。一方、図示されていないが、光学部材８００は集光シート８２０の下部または上部に配置されて光を拡散させるための拡散シートをさらに含むことができる。
【００３３】
固定部材９００は液晶表示パネル５１０の端部位を取り囲み、収納容器７００に結合され液晶表示パネル５１０を光学部材８００の上部に固定する。このような固定部材９００は外部衝撃による液晶表示パネル５１０の破損を防止し、液晶表示パネル５１０が収納容器７００から離脱されることを防止する。
一方、図示されていないが、液晶表示装置４００は平板蛍光ランプ１００及び光学部材８００を収納容器７００に固定し、液晶表示パネル５１０の収納位置をガイドするための別途の固定手段をさらに含むことができる。
【００３４】
このような平板蛍光ランプ及びこれを有する液晶表示装置によると、平板蛍光ランプのシーリング部と最も隣接する放電空間部に内部電極の露出のための連結部を形成するための陥没部を形成することで、インバーターとの連結を容易にすることができ、外郭サイズの増加を防止することができる。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３５】
【図１】本発明の一実施形態による平板蛍光ランプを示す分解斜視図である。
【図２】図１に示された平板蛍光ランプの結合された断面を示す断面図である。
【図３】図１に示された平板蛍光ランプの平面図である。
【図４】図１に示された陥没部及び連結部を具体的に示す斜視図である。
【図５】図４のＩ−Ｉ線に沿って切断した断面図である。
【図６】図１に示された第１基板を具体的に示す斜視図である。
【図７】図６に示された第１基板をより具体的に示す斜視図である。
【図８】図１に示されたＡ部分を拡大した拡大図である。
【図９】図８のII−II線に沿って切断した断面図である。
【図１０】本発明の他の実施形態による連結部を具体的に示す斜視図である。
【図１１】図１０のIII−III線に沿って切断した断面図である。
【図１２】本発明のさらにまたの実施形態による平板蛍光ランプを示す分解斜視図である。
【図１３】図１２に示された内部電極を示す斜視図である。
【図１４】図１２のIV−IV線に沿って切断した断面図である。
【図１５】本発明の一実施形態による液晶表示装置を示す分解斜視図である。
【符号の説明】
【００３６】
１００      平板蛍光ランプ
１１０      第１基板
１１２      反射層
１１４、１１６      第１及び第２蛍光層
１２０      内部電極
１２２      誘電層
１３０      第２基板
１３１      放電空間部
１３２      空間分割部
１３３      シーリング部
１３４      陥没部
１３５      連結部
１６０      連結通路
２１０      導電クリップ
４００      液晶表示装置
５００      表示ユニット
５１０      液晶表示パネル
６００      インバーター
７００      収納容器
８００      光学部材
８１０      拡散板
９００      固定部材
【図１】
2006039504.tif 000003
【図２】
2006039504.tif 000004
【図３】
2006039504.tif 000005
【図４】
2006039504.tif 000006
【図５】
2006039504.tif 000007
【図６】
2006039504.tif 000008
【図７】
2006039504.tif 000009
【図８】
2006039504.tif 000010
【図９】
2006039504.tif 000011
【図１０】
2006039504.tif 000012
【図１１】
2006039504.tif 000013
【図１２】
2006039504.tif 000014
【図１３】
2006039504.tif 000015
【図１４】
2006039504.tif 000016
【図１５】
2006039504.tif 000017